(57)【要約】【課題】ガイドバーを複数のレンズ保持枠で共有するレンズ装置において、これらのレンズ保持枠とガイドバーとの組み立てが容易なレンズ装置を提供する。【解決手段】レンズ鏡胴本体１１にはレンズ保持枠３２、筐体３６、レンズ保持枠３４が載置される各々一対の載置部１１Ａ、１１Ｂ、１１Ｃが形成される。これらの載置部１１Ａ、１１Ｂ、１１Ｃは、レンズ保持枠３２、筐体３６、レンズ保持枠３４が載置されると、ガイドバー２８が挿入されるレンズ保持枠３２のガイド溝３２Ａ、筐体３６のガイド孔３６Ａ、レンズ保持枠３４のガイド溝が略一直線上に位置決めされるように形成されるとともに、ガイドバー２８が挿入されるレンズ保持枠３２のガイド孔３２Ｂ、筐体３６のガイド孔３６Ｂ、レンズ保持枠３４のガイド孔３４Ｂが略一直線上に位置決めされるように形成される。【選択図】    図４
2008225269.tif 000002
【特許請求の範囲】
【請求項１】
レンズ鏡胴本体にガイドバーを介して支持された複数のレンズ保持枠を有するレンズ装置において、
前記レンズ鏡胴本体には、前記複数のレンズ保持枠が載置される載置部が形成され、該載置部は、前記複数のレンズ保持枠が載置されると、各々のレンズ保持枠の前記ガイドバーが挿入されるガイド孔が略一直線上に位置決めされるように形成されていることを特徴とするレンズ装置。
【請求項２】
前記レンズ装置は、第１レンズ群、第２レンズ群、第３レンズ群、及び第４レンズ群からなる４群構成のレンズ装置であって、
前記第１レンズ群は前記前玉レンズであり、第２レンズ群は、撮影光軸方向に移動されるバリエータレンズであり、前記第３レンズ群は防振レンズであり、前記第４レンズ群はフォーカスレンズであり、第２レンズ群乃至第３レンズ群が前記ガイドバーを介して支持されていることを特徴とする請求項１に記載のレンズ装置。
【発明の詳細な説明】
【技術分野】
【０００１】
本発明はレンズ装置に係り、特にレンズ鏡胴本体にガイドバーを介して支持された複数のレンズ保持枠を有するレンズ装置に関する。
【背景技術】
【０００２】
特許文献１には、レンズ鏡胴本体にガイドバーを介して支持された複数のレンズ保持枠を有するレンズ装置が開示されている。
【０００３】
このレンズ装置は固定レンズ群、前移動レンズ群、及び後移動レンズ群からなる３群レンズ構成のレンズ装置であり、これらのレンズ群は、レンズ鏡胴本体内に撮影光軸と平行に配設された一対のガイドバーによって支持されている。すなわち、各々のレンズ群のレンズ保持枠には、一対のガイドバーが挿入されるガイド孔がそれぞれ形成されており、このガイド孔に一対のガイドバーが挿入されることにより、各々のレンズ保持枠がレンズ鏡胴本体に支持されている。
【特許文献１】特開平８−５８９１号公報
【発明の開示】
【発明が解決しようとする課題】
【０００４】
ところで、一対のガイドバーを複数のレンズ保持枠で共有する特許文献１のようなレンズ装置の場合、各々のレンズ保持枠を一対のガイドバーに支持させるその組立作業は、作業者がレンズ保持枠を空中で支えながらレンズ保持枠のガイド孔にガイドバーを差し込むという作業となる。この作業はレンズ保持枠ごとに行わなければならないため、レンズ保持枠とガイドバーとの組立作業は非常に手間がかかるものであった。
【０００５】
本発明はこのような事情に鑑みてなされたもので、ガイドバーを複数のレンズ保持枠で共有するレンズ装置において、これらのレンズ保持枠とガイドバーとの組み立てが容易なレンズ装置を提供することを目的とする。
【課題を解決するための手段】
【０００６】
請求項１に記載の発明は、前記目的を達成するために、レンズ鏡胴本体にガイドバーを介して支持された複数のレンズ保持枠を有するレンズ装置において、
前記レンズ鏡胴本体には、前記複数のレンズ保持枠が載置される載置部が形成され、該載置部は、前記複数のレンズ保持枠が載置されると、各々のレンズ保持枠の前記ガイドバーが挿入されるガイド孔が略一直線上に位置決めされるように形成されていることを特徴としている。
【０００７】
請求項１に記載の発明によれば、レンズ鏡胴本体に形成された載置部に複数のレンズ保持枠を載置すると、各々のレンズ保持枠のガイドバーが挿入されるガイド孔が略一直線上に位置決めされる。この状態でガイドバーを端に位置するレンズ保持枠のガイド孔に差し込んでいくと、このレンズ保持枠に隣接するレンズ保持枠のガイド孔にガイドバーが差し込まれていき、また、これに隣接するレンズ保持枠のガイド孔にガイドバーが差し込まれていく。したがって、ガイドバーの一つの差し込み動作によって複数のレンズ保持枠のガイド孔が次々に差し込まれていく。これにより、レンズ保持枠とガイドバーとの組み立てが容易になる。また、レンズ保持枠を空中で支えながら組み立てるのではなく、レンズ鏡胴本体に載置した状態で組み立てるため、組立作業性も向上する。
【０００８】
なお、ガイドバーの挿入方向先端を先鋭状に形成したり、ガイド孔の入口部にガイドバーをガイド孔の中心に向けて導くテーパ面を形成したりすることが好ましい。これにより、一直線上から若干ずれたガイド孔があったとしても、そのガイド孔を有するレンズ保持枠は、ガイドバーの挿入動作により、そのガイド孔が一直線上に位置するように矯正移動されるので、そのガイド孔にガイドバーを確実に差し込むことができる。
【０００９】
請求項２に記載の発明は、請求項１において、前記レンズ装置は、第１レンズ群、第２レンズ群、第３レンズ群、及び第４レンズ群からなる４群構成のレンズ装置であって、前記第１レンズ群は前記前玉レンズであり、第２レンズ群は、撮影光軸方向に移動されるバリエータレンズであり、前記第３レンズ群は防振レンズであり、前記第４レンズ群はフォーカスレンズであり、第２レンズ群乃至第３レンズ群が前記ガイドバーを介して支持されていることを特徴とする。
【００１０】
請求項２に記載の発明は、４群レンズ構成のレンズ装置において、請求項１に記載の発明を適用した場合の好適なレンズ装置が示されている。このレンズ装置は光軸方向前方から後方に向けて、前玉レンズである第１レンズ群、焦点距離を変更するバリエータレンズである第２レンズ群、防振レンズである第３レンズ群、及びフォーカスレンズである第４レンズ群が配置されて構成されており、第２レンズ群乃至第３レンズ群が前記ガイドバーを介して支持されている。よって、第２レンズ群乃至第３レンズ群の各レンズ保持枠とガイドバーとの組立が容易になる。
【発明の効果】
【００１１】
本発明に係るレンズ装置によれば、レンズ鏡胴本体に形成された載置部に複数のレンズ保持枠を載置すると、各々のレンズ保持枠のガイドバーが挿入されるガイド孔が略一直線上に位置決めされるので、レンズ保持枠とガイドバーとの組み立てが容易になる。
【発明を実施するための最良の形態】
【００１２】
以下添付図面に従って、本発明に係るレンズ装置の好ましい実施の形態について詳説する。
【００１３】
図１には、実施の形態に係るレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８から構成されており、これらの第１乃至第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００１４】
第１レンズ群１２はいわゆる前玉レンズであり、第２レンズ群１４は焦点距離を変更するバリエータレンズ、第３レンズ群１６は手振れ等に起因する振動を打ち消す方向に駆動される防振レンズ、第４レンズ群１８は焦点を調整するフォーカスレンズである。
【００１５】
これらの第１乃至第４レンズ群１２〜１８は、レンズ鏡胴本体１１内に保持されている。また、レンズ鏡胴本体１１内には、光軸と平行な一対のガイドバー２８、３０（図１、図４参照）が挿通配置されており、このガイドバー２８、３０に第２レンズ群１４の保持枠３２及び第４レンズ群１８の保持枠３４がそれぞれスライド移動自在に支持されるとともに、第３レンズ群１６の筐体３６がガイドバー２８、３０に固定されている。なお、筐体３６をレンズ鏡胴本体１１に直接固定してもよい。
【００１６】
第２レンズ群１４には、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がズーム用ステッピングモータ（不図示）の出力軸に連結されている。ズーム用ステッピングモータのズームドライバ回路（不図示）にカメラ本体側からズーム信号が出力されると、ズーム用ステッピングモータはその信号に対応した方向に送りねじを回転駆動する。これによって、第２レンズ群１４がガイドバー２８、３０に沿って光軸方向に前後移動され、所望の焦点距離に調整される。
【００１７】
第４レンズ群１８にも同様に、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がフォーカス用ステッピングモータ（不図示）の出力軸に連結されている。フォーカス用ステッピングモータのフォーカスドライバ回路（不図示）にカメラ本体側からフォーカス信号が出力されると、フォーカス用ステッピングモータはその信号に対応した方向に送りねじを回転駆動する。これによって、第４レンズ群１８がガイドバー２８、３０に沿って光軸方向に前後移動され、焦点が合わされる。
【００１８】
次に、防振機構の構造について説明する。
【００１９】
図２は、防振レンズ１６を装備した筐体３６を後方から見た斜視図であり、図３は、図２に示した筐体３６からアクチュエータを除いた斜視図である。
【００２０】
これらの図に示すように、第３レンズ群（ここでは便宜上、防振レンズと称する）１６は、レンズ保持枠５０に保持され、このレンズ保持枠５０は撮影光軸Ｌに直交する面内で、異なる二方向に移動自在に支持される。以下、防振レンズ１６の移動方向をＸ方向（図２、図３の横方向）、Ｙ方向（図２、図３の縦方向）とする。また、防振レンズ１６をＸ方向に移動させる機構をＸ移動機構、Ｙ方向に移動させる機構をＹ移動機構と称する。
【００２１】
まず、Ｘ移動機構について説明する。
【００２２】
レンズ保持枠５０には、移動ガイドバー５２が固定される。移動ガイドバー５２は、Ｙ方向に配設され、この移動ガイドバー５２にスライダ５４が係合される。スライダ５４は、上辺部と左辺部から成るＬ字状に形成され、左辺部には二つのガイド部５６、５６が光軸方向に突出して形成される。各ガイド部５６にはガイド孔（不図示）がＹ方向に形成され、これらのガイド孔に移動ガイドバー５２が挿通される。これにより、スライダ５４が移動ガイドバー５２に沿ってＹ方向にスライド自在に係合される。したがって、レンズ保持枠５０はスライダ５４によってＹ方向にスライド自在に支持される。また、レンズ保持枠５０はＸ方向の動きがスライダ５４に規制され、スライダ５４をＸ方向に移動した際にレンズ保持枠５０もＸ方向に移動される。
【００２３】
なお、移動ガイドバー５２の図中下端部５２Ａは、筐体３６に形成されたＸ方向の長孔５８に係合されており、これによって、レンズ保持枠５０の倒れ（光軸方向に対する傾き）が防止される。
【００２４】
スライダ５４の上辺部には、Ｘ方向のガイド孔（不図示）が形成されており、このガイド孔に固定ガイドバー６０が挿通される。固定ガイドバー６０は、Ｘ方向に配設され、その両端部は筐体３６に固定される。これにより、スライダ５４は、固定ガイドバー６０に沿ってＸ方向にスライド自在に支持される。スライダ５４をＸ方向にスライドさせることによって、スライダ５４の左辺部に移動ガイドバー５２を介して係合されたレンズ保持枠５０がＸ方向にスライドされる。
【００２５】
また、スライダ５４の上辺部には、平面状のモータコイル（商品名「ファインパターンコイル」（登録商標））６２が固定され、このモータコイル６２の下面にフレキシブルプリント基板（以下、フレキと称する）６４の出力端が接着固定される。モータコイル６２は防振レンズ１６の外側周辺でＸ方向に配設されており、また、フレキ６４にホール素子等の位置センサ６６が位置決めされて固着されている。
【００２６】
フレキ６４は、モータコイル６２からＸ方向に引き出され、筐体３６の側面開口６８を介して筐体３６の外部に引き出される。外部に引き出されたフレキ６４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ６４は、電源供給や防振レンズ１６の動作制御を行うユニットに接続される。なお、筐体３６の側面開口６８は、スリット７０を介して筐体３６の端面に連通されており、このスリット７０にフレキ６４を通すことによってフレキ６４が側面開口６８の内部に配置される。
【００２７】
モータコイル６２の外側には、マグネット７２がモータコイル６２に対向して配置される。マグネット７２は、矩形の板状に形成され、Ｓ極７２ＡとＮ極７２ＢがＸ方向に並ぶように配設される。前述した位置センサ６６はマグネット７２のＳ極７２ＡとＮ極７２Ｂとの境界部に対向して配置され、磁場の変化を検出し、その検出した信号を、フレキ６４を介して前記ユニットに出力する。
【００２８】
マグネット７２の外側には、ヨークとなる金属板（不図示）が設けられる。金属板は、マグネット７２の磁力によってマグネット７２に吸着される。また、金属板は、マグネット７２よりも大きな矩形状に形成されており、その縁部がマグネット７２から突出した状態で取り付けられる。筐体３６の外面には、金属板の大きさの凹部が形成され、さらにその内側にマグネット７２の大きさの開口７４が形成されており、この筐体３６の凹部に金属板が収納され、開口７４にマグネット７２が収納される。
【００２９】
モータコイル６２の内側には、ヨークとなる金属板７６がモータコイル６２に対向してＸ方向に配置される。この金属板７６は、その一端が前記スリット７０に差し込まれ、その他端が筐体３６に形成された溝７８に差し込まれることにより筐体３６に固定される。
【００３０】
上記の如く構成されたＸ移動機構は、マグネット７２及び２枚の金属板（一方は不図示）７６によって形成される磁界内にモータコイル６２が配設されるので、モータコイル６２に通電することによって、モータコイル６２及びそれを支持するスライダ５４がＸ方向に力を受ける。したがって、スライダ５４及びレンズ保持枠５０がＸ方向に移動され、よって、防振レンズ１６がＸ方向に移動される。以上が防振機構の構造である。
【００３１】
次に、Ｙ移動機構について説明する。
【００３２】
レンズ保持枠５０には、移動ガイドバー８２が固定される。移動ガイドバー８２は、Ｘ方向に配設され、この移動ガイドバー８２にスライダ８４が係合される。スライダ８４は、下辺部と右辺部から成るＬ字状に形成され、下辺部には二つのガイド部８６、８６が光軸方向に突出して形成される。各ガイド部８６にはガイド孔（不図示）がＸ方向に形成され、これらのガイド孔に移動ガイドバー８２が挿通される。これにより、スライダ８４が移動ガイドバー８２に沿ってＸ方向にスライド自在に係合される。したがって、レンズ保持枠５０はスライダ８４によってＸ方向にスライド自在に支持される。また、レンズ保持枠５０はＹ方向の動きがスライダ８４に規制され、スライダ８４をＹ方向に移動した際にレンズ保持枠５０もＹ方向に移動される。
【００３３】
スライダ８４の右辺部には、Ｙ方向のガイド孔（不図示）が形成されており、このガイド孔に固定ガイドバー９０が挿通される。固定ガイドバー９０は、Ｙ方向に配設され、その両端部は筐体３６に固定される。これにより、スライダ８４は、固定ガイドバー９０に沿ってＹ方向にスライド自在に支持される。スライダ８４をＹ方向にスライドさせることによって、スライダ８４の下辺部に移動ガイドバー８２を介して係合されたレンズ保持枠５０がＹ方向にスライドされる。
【００３４】
また、スライダ８４の右辺部には、平面状のモータコイル（商品名「ファインパターンコイル」（登録商標））９２が固定され、このモータコイル９２の左面にフレキシブルプリント基板（以下、フレキと称する）９４の出力端が接着固定される。モータコイル９２は防振レンズ１６の外側周辺でＹ方向に配設されており、また、フレキ９４にホール素子等の位置センサ９６が位置決めされて固着されている。
【００３５】
フレキ９４は、モータコイル９２からＹ方向に引き出され、筐体３６の側面開口９８を介して筐体３６の外部に引き出される。外部に引き出されたフレキ９４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ９４は、電源供給や防振レンズ１６の動作制御を行うユニットに接続される。なお、筐体３６の側面開口９８は、スリット１００を介して筐体３６の端面に連通されており、このスリット１００にフレキ９４を通すことによってフレキ９４が側面開口９８の内部に配置される。
【００３６】
モータコイル９２の外側には、マグネット１０２がモータコイル９２に対向して配置される。マグネット１０２は、矩形の板状に形成され、Ｓ極１０２ＡとＮ極１０２ＢがＹ方向に並ぶように配設される。前述した位置センサ９６はマグネット１０２のＳ極１０２ＡとＮ極１０２Ｂとの境界部に対向して配置され、磁場の変化を検出し、その検出した信号を、フレキ９４を介して前記ユニットに出力する。
【００３７】
マグネット１０２の外側には、ヨークとなる金属板（不図示）が設けられる。金属板は、マグネット１０２の磁力によってマグネット１０２に吸着される。また、金属板は、マグネット１０２よりも大きな矩形状に形成されており、その縁部がマグネット１０２から突出した状態で取り付けられる。筐体３６の外面には、金属板の大きさの凹部が形成され、さらにその内側にマグネット１０２の大きさの開口１０４が形成されており、この筐体３６の凹部に金属板が収納され、開口１０４にマグネット１０２が収納される。
【００３８】
モータコイル９２の内側には、ヨークとなる金属板１０６がモータコイル９２に対向してＹ方向に配置される。この金属板１０６は、その一端が前記スリット１００に差し込まれ、その他端が筐体３６に形成された溝１０８に差し込まれることにより筐体３６に固定される。
【００３９】
上記の如く構成されたＹ移動機構は、マグネット１０２及び２枚の金属板（一方は不図示）１０６によって形成される磁界内にモータコイル９２が配設されるので、モータコイル９２に通電することによって、モータコイル９２及びそれを支持するスライダ８４がＹ方向に力を受ける。したがって、スライダ８４及びレンズ保持枠５０がＹ方向に移動され、よって、防振レンズ１６がＹ方向に移動される。以上が防振機構の構造である。
【００４０】
ところで、実施の形態のレンズ鏡胴本体１１には、図４（Ａ）、（Ｂ）、（Ｃ）に示すように、レンズ保持枠３２、筐体３６、レンズ保持枠３４が載置される各々一対の載置部１１Ａ、１１Ｂ、１１Ｃが形成されている。
【００４１】
これらの載置部１１Ａ、１１Ｂ、１１Ｃは、レンズ保持枠３２、筐体３６、レンズ保持枠３４が載置されると、ガイドバー２８が挿入されるレンズ保持枠３２のガイド溝３２Ａ、筐体３６のガイド孔３６Ａ、レンズ保持枠３４のガイド溝が略一直線上に位置決めされるように形成されるとともに、ガイドバー３０が挿入されるレンズ保持枠３２のガイド孔３２Ｂ、筐体３６のガイド孔３６Ｂ、レンズ保持枠３４のガイド孔３４Ｂが略一直線上に位置決めされるように形成されている。
【００４２】
この状態でガイドバー２８を端に位置するレンズ保持枠３４のガイド溝３２Ａに差し込んでいくと、このレンズ保持枠３４に隣接する筐体３６のガイド孔３６Ａにガイドバー２８が差し込まれていき、また、これに隣接するレンズ保持枠３４のガイド溝３４Ａにガイドバー２８が差し込まれていく。同様に、ガイドバー３０をレンズ保持枠３４のガイド孔３２Ｂに差し込んでいくと、次に、筐体３６のガイド孔３６Ｂにガイドバー３０が差し込まれていき、そして、レンズ保持枠３４のガイド孔３４Ｂにガイドバー３０が差し込まれていく。
【００４３】
したがって、ガイドバー２８，３０の一つの差し込み動作によってレンズ保持枠３２、筐体３６、レンズ保持枠３４の各々のガイド孔、ガイド溝が次々にガイドバー２８、３０に差し込まれていく。これにより、レンズ保持枠３２、筐体３６、レンズ保持枠３４とガイドバー２８、３０との組み立てが容易になる。また、レンズ保持枠３２、筐体３６、レンズ保持枠３４を空中で支えながら組み立てるのではなく、レンズ鏡胴本体１１にレンズ保持枠３２、筐体３６、レンズ保持枠３４を載置した状態で組み立てるため、組立作業性も向上する。
【００４４】
なお、ガイドバー２８、３０の挿入方向先端を先鋭状に形成したり、ガイド孔３２Ｂ、３６Ａ、３６Ｂ、３４Ｂの入口部にガイドバー２８、３０をガイド孔の中心に向けて導くテーパ面を形成したりすることが好ましい。これにより、一直線上から若干ずれたガイド孔３２Ｂ、３６Ａ、３６Ｂ、３４Ｂがあったとしても、そのガイド孔３２Ｂ、３６Ａ、３６Ｂ、３４Ｂを有するレンズ保持枠３２、筐体３６、レンズ保持枠３４は、ガイドバー２８、３０の挿入動作により、そのガイド孔３２Ｂ、３６Ａ、３６Ｂ、３４Ｂが一直線上に位置するように矯正移動されるので、そのガイド孔３２Ｂ、３６Ａ、３６Ｂ、３４Ｂにガイドバー２８、３０を確実に差し込むことができる。
【００４５】
なお、ガイドバー２８、３０がレンズ鏡胴本体１１に固定されると、レンズ保持枠３２、筐体３６、レンズ保持枠３４は載置部１１Ａ、１１Ｂ、１１Ｃに対して若干量上昇された位置に位置決めされる。
【００４６】
なお、実施の形態では、３群のレンズ保持枠（筐体）とガイドバーとの組み立てについて説明したが、２群以上のレンズ保持枠とガイドバーとの組み立てに適用することができる。
【図面の簡単な説明】
【００４７】
【図１】実施の形態のレンズ装置の構成を示した断面図
【図２】図１に示したレンズ装置の防振レンズを装備した筐体を撮影光軸の後方から見た斜視図
【図３】図２に示した筐体からアクチュエータを除いた斜視図
【図４】レンズ保持枠、筐体が載置される載置部を示したレンズ鏡胴本体の断面図
【符号の説明】
【００４８】
１０…レンズ装置、１１…レンズ鏡胴本体、１１Ａ、１１Ｂ、１１Ｃ…載置部、１２…第１レンズ群、１４…第２レンズ群、１６…第３レンズ群、１８…第４レンズ群、２０…色分解プリズム、２２、２４、２６…撮像素子、２８、３０…ガイドバー、３２、３４、５０…レンズ保持枠、３６…筐体、６２、９２…平面状モータコイル、７２、１０２…マグネット
【図１】
2008225269.tif 000003
【図２】
2008225269.tif 000004
【図３】
2008225269.tif 000005
【図４】
2008225269.tif 000006